(57)【要約】【課題】広範囲にわたる鉄道車両の側外装作業の、労力の軽減や作業効率の向上を図る。【解決手段】専用アタッチメント２２として、装飾フィルムの繰出し具であるロールケースを、フレーム２０の適切な位置に装着する。車両１２の長手方向への作業の進行に応じ、雨樋１４に沿って滑車１６を走行させ、必要な長さの装飾フィルム３６を、ロールケースから繰出すことにより、一人で、鉄道車両１２の側外板１８に対し、装飾フィルム３６の貼付作業を行うことが可能となる。又、貼付するフィルムの長さにかかわらず、一定の巻回量の装飾フィルムロールをロールケースに装填し、適宜、装飾フィルム３６を裁断することで、貼付作業を一人で行うに当たり、長さの異なる装飾フィルムを予め準備しておく必要もなくなり、装飾フィルム３６のコストの増大を防ぐことができる。【選択図】図１
2009018762.tif 000002
【特許請求の範囲】
【請求項１】
鉄道車両の、雨樋その他の長手方向に連続した溝形状を有する部位に沿って走行可能な滑車と、
該滑車に支持され、鉄道車両の側外板と一定距離を置いて縦方向に吊下げられるフレームと、
該フレームの任意の位置に着脱自在な、作業内容毎の専用アタッチメントとを備えることを特徴とする鉄道車両の側外装作業用治具。
【請求項２】
前記フレームは、折り曲げ自在又は伸縮自在であることを特徴とする請求項１記載の鉄道車両用側外装作業用治具。
【請求項３】
前記専用アタッチメントは、装飾フィルムの繰出し具であることを特徴とする請求項１又は２記載の鉄道車両の側外装作業用治具。
【請求項４】
前記専用アタッチメントは、工具ホルダであることを特徴とする請求項１又は２記載の鉄道車両用側外装作業用治具。
【請求項５】
前記フレームの任意の位置に着脱自在な、鉄道車両の側外板に当接するクッション乃至ローラを備えることを特徴とする請求項１から４のいずれか１項記載の鉄道車両用側外装作業用治具。
【発明の詳細な説明】
【技術分野】
【０００１】
本発明は、鉄道車両の側外装作業用治具に関するものである。
【背景技術】
【０００２】
近年、鉄道車両におけるメンテナンスフリー促進の要請から、耐腐食性に優れたステンレス材やアルミニウム材が車体材料として広く用いられている。これらの材料を用いる鉄道車両は、従来の鋼製車両と異なり外板の無塗装仕上げを可能としつつ、帯状の装飾フィルムを外板に貼付することで、従来の塗装仕上げの車両と同様に、利用者の利便性（路線識別性）や意匠性を確保している（例えば、特許文献１参照。）。
【０００３】
【特許文献１】特開２００１−３３４９３４
【発明の開示】
【発明が解決しようとする課題】
【０００４】
しかしながら、鉄道車両の長手方向の寸法は、一般に１５ｍ〜２０ｍ程度あることから、装飾フィルムの長さも自ずと長くなり、装飾フィルムの重さもそれ相当のものとなる。このため、その貼付作業は、作業者が二人一組となり、熟練した作業者が、鉄道車両の側外板に対し装飾フィルムの貼付作業を行い、もう一人が装飾フィルムロールを持ち、作業進行に合わせて必要な長さの装飾フィルムを繰出すといった共同作業が必要となっている。一方、扉間隔の狭い鉄道車両の場合には、扉間の長さに応じて、予め装飾フィルムを短く裁断しておくことで、一人での貼付作業も可能となる。しかしながら、装飾フィルムの裁断作業に工数を割かれることで、作業効率の向上は望めず、又、裁断済みの装飾フィルムを納入することは、装飾フィルムのコストを増大させることになる。
【０００５】
又、鉄道車両の側外板には、扉開閉スイッチ、表示板、車外スピーカ等、車体外側から取り付けられる部品が少なくない。これらの部品は、高さ方向一定で車体の長手方向の複数箇所に設けられている場合が多く、作業者は、床面や、鉄道車両の側外板に沿って延設された足場上を移動しながら、必要な位置に、必要な部品を装着する作業が行われている。この作業の際に、作業者は、車両長手方向の複数の部品装着位置へと、工具や部品を持って移動させ、床面に置いた工具や部品を取るために、立ったりしゃがんだりといった動作をする必要があり、労力の増大や作業効率の低下を招いている。
本発明は、上記課題に鑑みてなされたものであり、その目的とするところは、広範囲にわたる鉄道車両の側外装作業の、労力の軽減や作業効率の向上を図ることにある。
【課題を解決するための手段】
【０００６】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）鉄道車両の、雨樋その他の長手方向に連続した溝形状を有する部位に沿って走行可能な滑車と、該滑車に支持され、鉄道車両の側外板と一定距離を置いて縦方向に吊下げられるフレームと、該フレームの任意の位置に着脱自在な、作業内容毎の専用アタッチメントとを備える鉄道車両の側外装作業用治具（請求項１）。
本項に記載の鉄道車両の側外装作業用治具は、作業内容毎の専用アタッチメントを、作業内容に応じて、鉄道車両の側外板と一定距離を置いて縦方向に吊下げられるフレームの任意の位置に装着する。そして、車両の長手方向への作業の進行や、部品の装着位置に応じ、長手方向に連続した溝形状を有する部位に沿ってフレームを支持する滑車を走行させることにより、専用アタッチメントを作業に適した位置へと移動させ、作業性を向上させるものである。
【０００８】
（２）前記フレームは、折り曲げ自在又は伸縮自在である鉄道車両用側外装作業用治具（請求項２）。
本項に記載の鉄道車両の側外装作業用治具は、車体の形状や作業内容に合わせて、フレームを折り曲げ又は伸縮させることで、鉄道車両の側外板に対する干渉を防ぎつつ、作業内容毎にフレームの最適の位置に、専用アタッチメントを装着するものである。
【０００９】
（３）前記専用アタッチメントは、装飾フィルムの繰出し具である鉄道車両の側外装作業用治具（請求項３）。
本項に記載の鉄道車両の側外装作業用治具は、装飾フィルムの繰出し具をフレームの適切な位置に装着し、作業進行に合わせて必要な長さの装飾フィルムを、装飾フィルムの繰出し具から繰出すことにより、一人で、鉄道車両の側外板に対し装飾フィルムの貼付作業を行うことを可能とするものである。
【００１０】
（４）前記専用アタッチメントは、工具ホルダである鉄道車両用側外装作業用治具（請求項４）。
本項に記載の鉄道車両の側外装作業用治具は、工具ホルダをフレームの適切な位置に装着し、工具ホルダによって作業内容に応じた工具を保持させ、部品の装着作業に適した位置に工具を移動させることで、作業性を向上させるものである。
（５）前記専用アタッチメントは、部品ホルダである鉄道車両用側外装作業用治具。
本項に記載の鉄道車両の側外装作業用治具は、部品ホルダをフレームの適切な位置に装着し、部品ホルダによって作業内容に応じた部品を保持させ、部品の装着作業に適した位置に部品を移動させることで、作業性を向上させるものである。
【００１１】
（６）前記フレームの任意の位置に着脱自在な、鉄道車両の側外板に当接するクッション乃至ローラを備える鉄道車両用側外装作業用治具（請求項５）。
本項に記載の鉄道車両の側外装作業用治具は、滑車に支持され、鉄道車両の側外板と一定距離を置いて縦方向に吊下げられるフレームや、フレームに装着される作業内容毎の専用アタッチメントが、鉄道車両の側外板に接触することによる、側外板の損傷を防ぐものである。
【発明の効果】
【００１２】
本発明はこのように構成したので、広範囲にわたる鉄道車両の側外装作業の、労力の軽減や作業効率の向上を図ることが可能となる。
【発明を実施するための最良の形態】
【００１３】
以下、本発明を実施するための最良の形態を添付図面に基づいて説明する。
本発明の実施の形態に係る鉄道車両の側外装作業用治具１０（以下、「側外装作業用治具」という。）は、図１から図５に示されるように、鉄道車両１２の、長手方向に連続した溝形状を有する部位、例えば雨樋１４に沿って走行可能な滑車１６と、滑車１６に支持され、鉄道車両１２の側外板１８と一定距離を置いて縦方向に吊下げられる棒状のフレーム２０と、フレーム２０の任意の位置に着脱自在な、作業内容毎の専用アタッチメント２２とを備えるものである。又、フレーム２０の任意の位置に着脱自在な、鉄道車両１２の側外板１８に当接するクッション２４やローラ２６を備えている。
【００１４】
フレーム２０は、図３から図５に示されるように、滑車１６を軸支する水平部２０ａと、これに直交する垂直部２０ｂとが固定され、かつ、クッション２４又はローラ２６を支持するサブフレーム２０ｃが、垂直部２０ｂの任意の位置に、任意の角度で着脱可能となっている。
又、専用アタッチメント２２は、装飾フィルムの繰出し具であり、塩化ビニル等の円管２８の両端を、フレーム２０に挿通されるスリーブ３０ａ、３２ａを備える蓋３０、３２で塞いだ円筒状のロールケース２９として構成されている。又、蓋３０、３２のスリーブ３０ａ、３２ａには、フレーム２０の任意の位置に固定するためのちょうねじ３４が設けられている。そして、円管２８及び蓋３０、３２には、円管２８の内部に装填された装飾フィルムロールから、装飾フィルム３６を繰出すためのスリット２８ａ、３０ｂ、３２ｂが形成されている。又、少なくとも一方の蓋３２は、装飾フィルムロールを円管２８に装填するために、円管２８に対し着脱自在となっている。
【００１５】
なお、フレーム２０には、図６に示されるように関節部２０ｄを設け、折り曲げ自在とし、若しくは、伸縮自在とすることも可能である。
又、図７に示されるように、ロールケース２９から装飾フィルム３６が引き出される際の装飾フィルムロールの回転を、歯車３８、４０を介して、台紙回収ロール４２へと伝え、台紙４４を台紙回収ロール４２に自動回収する構造を採用することも可能である。
【００１６】
更には、図８に示されるように、専用アタッチメント２２として、工具ホルダ４６を、クランプ４８によってフレーム２０の任意の場所に着脱自在に設けることとしても良い。工具ホルダ４６は、ドリル５０、インパクトレンチ５２等、作業内容に合わせて必要な工具を保持するものであり、図示の例では、長方形の無蓋箱状をなし、工具の一部を挿通するための穴が形成されているものである。又、図示の例では、蓋３２によって工具ホルダ４６を下支えすることで、重い工具の場合にも確実に保持することを可能としている。なお、工具ホルダ４６にも、ねじ程度の小部品は載置可能であるが、専用アタッチメント２２として、必要な部品を載置するための部品ホルダ（図示省略）を用いることも可能であり、又、側外装作業用治具１０を、同時に二組以上使用することも可能である。
【００１７】
上記構成をなす、本発明の実施の形態によれば、次のような作用効果を得ることが可能である。まず、本発明の実施の形態に係る鉄道車両の側外装作業用治具１０は、作業内容毎の専用アタッチメント２２を、作業内容に応じて、フレーム２０の任意の位置に装着し、車両１２の長手方向への作業の進行や、部品の装着位置に応じ、長手方向に連続した溝形状を有する部位１４に沿って滑車１６を走行させることにより、専用アタッチメント２２を作業に適した位置へと移動させ、作業性を向上させるものである。
【００１８】
又、車体の形状や作業内容に合わせて、フレーム２０を折り曲げ又は伸縮させることで、鉄道車両１２の側外板１８に対する干渉を防ぎつつ、作業内容毎にフレーム２０の最適の位置に、専用アタッチメント２２を装着するものである。
専用アタッチメント２２として、装飾フィルムの繰出し具であるロールケース２９を、フレーム２０の適切な位置に装着する場合には、作業進行に合わせて、必要な長さの装飾フィルム３６を、ロールケース２９から繰出すことにより、一人で、鉄道車両１２の側外板１８に対し、装飾フィルム３６の貼付作業を行うことが可能となる。又、貼付するフィルムの長さにかかわらず、一定の巻回量の装飾フィルムロールをロールケース２９に装填し、適宜、装飾フィルム３６を裁断することで、貼付作業を一人で行うに当たり、長さの異なる装飾フィルムを予め準備しておく必要もなくなり、装飾フィルム３６のコストの増大を防ぐことができる。
【００１９】
又、専用アタッチメント２２として、工具ホルダ４６をフレーム２０の適切な位置に装着し、工具ホルダ４６に作業内容に応じた工具５０、５２を保持させることとすれば、部品の装着作業に適した位置に工具５０、５２を移動させることで、作業性を向上させることができる。
又、フレーム２０の任意の位置に着脱自在な、鉄道車両１２の側外板１８に当接するクッション２４、ローラ２６を備えることから、フレーム２０や、フレーム２０に装着される作業内容毎の専用アタッチメント２２が、鉄道車両１２の側外板１８に接触することによる、側外板１８の損傷を防ぐことができる。
【図面の簡単な説明】
【００２０】
【図１】本発明の実施の形態に係る鉄道車両用側外装作業用治具の模式図であり、（ａ）は側面図、（ｂ）は正面図である。
【図２】図１に示される鉄道車両用側外装作業用治具に装着される、装飾フィルムの繰出し具の模式図である。
【図３】図１に示される鉄道車両用側外装作業用治具の詳細図であり、（ａ）は全体を示す側面図、（ｂ）は装飾フィルムの繰出し具の分解図である。
【図４】図１に示される鉄道車両用側外装作業用治具の、滑車の近傍部分を示す斜視図である。
【図５】図１に示される鉄道車両用側外装作業用治具の、ローラの近傍部分を示す斜視図である。
【図６】図１に示される鉄道車両用側外装作業用治具の、フレームの応用例を示す側面図である。
【図７】図１に示される鉄道車両用側外装作業用治具の、装飾フィルムの繰出し具の応用例を示す模式図である。
【図８】図１に示される鉄道車両用側外装作業用治具に、専用アタッチメントとして、工具ホルダが装着された状態を示す斜視図である。
【符号の説明】
【００２１】
１０：鉄道車両の側外装作業用治具、１２：鉄道車両、１４：雨樋、１６：滑車、１８：側外板、２０：フレーム、２２：専用アタッチメント、２４：クッション、２６：ローラ、  ２９：ロールケース、３６：装飾フィルム、４６：工具ホルダ
【図１】
2009018762.tif 000003
【図２】
2009018762.tif 000004
【図３】
2009018762.tif 000005
【図４】
2009018762.tif 000006
【図５】
2009018762.tif 000007
【図６】
2009018762.tif 000008
【図７】
2009018762.tif 000009
【図８】
2009018762.tif 000010